(57)【要約】【課題】モータの数を増やすことなく、回転灯装置及び可動演出体の段階的な作動が可能となる遊技機の提供。【解決手段】回転灯装置60のモータ68A から可動演出体５までの間に、モータ68A からの回転駆動力を遮断可能な伝達遮断手段20を設け、伝達遮断手段20でモータ68A からの回転駆動力を遮断して、可動演出体５を動作させずに、回転灯装置60の反射板64のみの動作を可能とする。これにより、回転灯装置60のモータ68A で可動演出体５を駆動するようにしても、回転灯装置60の作動開始後に、可動演出体５を追って作動させることができるようになる。従って、モータ68A の数を増やすことなく、回転灯装置60及び可動演出体５を段階的に作動させることができ、演出効果を段階的に高めることができる。【選択図】    図５
2008036203.tif 000002
【特許請求の範囲】
【請求項１】
照射光を発する光源と、この光源の周囲を旋回可能に設けられた反射板と、この反射板を旋回駆動するモータとが設けられ、前記反射板を旋回させることにより、前記光源が発する照射光を周囲に旋回させる回転灯装置を備えた遊技機であって、
前記回転灯装置から前記モータの回転駆動力を取り出して所定の部位まで伝達する駆動力伝達手段と、
当該遊技機の所定の部位に回転可能に設けられるとともに、前記駆動力伝達手段を介して伝達された前記モータの回転駆動力により回転駆動される可動演出体と、
前記モータから前記可動演出体までの間に設けられ、前記モータからの回転駆動力を前記可動演出体に伝達されるまえに遮断することが可能な伝達遮断手段と、
が設けられていることを特徴とする遊技機。
【請求項２】
前記モータから前記反射板までの間に配置されるとともに、前記モータから伝達された回転駆動力を遮断することが可能な駆動力遮断手段が前記回転灯装置に設けられていることを特徴とする請求項１記載の遊技機。
【請求項３】
前記伝達遮断手段及び前記駆動力遮断手段は、それぞれ別個に回転駆動力を遮断すること、及び、同時に回転駆動力を遮断することの両方が可能となっていることを特徴とする請求項２記載の遊技機。
【請求項４】
前記可動演出体は、前記回転灯装置から照射されてきた照射光を反射できるように、表面が鏡面となっていることを特徴とする請求項１から請求項３までのいずれかに記載の遊技機。
【請求項５】
前記回転灯装置は、前記光源を消灯させた状態で、前記反射板を旋回させることが可能となっていることを特徴とする請求項４記載の遊技機。
【発明の詳細な説明】
【技術分野】
【０００１】
本発明は、照射光を発する光源と、この光源の周囲を旋回可能に設けられた反射板と、この反射板を旋回駆動するモータとが設けられ、前記反射板を旋回させることにより、前記光源が発する照射光を周囲に旋回させる回転灯装置を備え、この回転灯装置で照射光を周囲に旋回させる演出が行えるようになった遊技機に関する。
【背景技術】
【０００２】
従来から、人々に娯楽を提供する遊技機として、スロットマシンやパチンコ機等が利用されている。
このうち、スロットマシンは、複数種類の図柄が記されるとともに回転駆動可能に設けられた複数の回転リールを備えたものであり、遊技者は、複数の回転リールに設けられた複数種類の図柄を所定の組合せに揃える遊技を遊技者に行わせるものとなっている。
すなわち、遊技者がメダルをスロットマシンに投入した後、スタートレバーを操作すると、複数の回転リールが一斉に回転駆動され、この後、ストップボタンを適宜押圧操作すると、ストップボタンに対応した回転リールが適宜停止するようになっている。そして、回転リールが停止した際に、リール窓内に表示された複数の図柄が特定の組合せに揃ったときに入賞となり、入賞すると、入賞した役に応じた数のメダルがスロットマシンから遊技者に払い出されることとなる。
【０００３】
このような遊技機では、遊技が行われる毎に内部で遊技の当否に係る当否抽選が内部で行われ、この当否抽選で当選することにより、所定の当選役に対応した当選フラグが成立し、遊技者は、当該当選役への入賞が可能となる。換言すると、遊技者は、当否抽選で当選することにより初めて、リール窓内に所定の組合せの図柄を停止させることができるようになっている。具体的には、遊技者は、遊技毎に行われる当否抽選で、大きな利益が得られる特別入賞に対応した当選役であるボーナスゲームに当選して、ボーナスゲームに対応する当選フラグを成立させなければ、ボーナスゲームに入賞することができない。
そして、遊技機は、このように大きな利益の得られる可能性がある当選フラグが成立すると、当選フラグが成立したことを遊技者に報知する演出を行うようになっている。
【０００４】
ここで、遊技機は、当選フラグ成立を報知する報知演出を行うにあたり、当該遊技機に設けられている装飾用のランプを点滅動作又は連続点灯動作させる、当該遊技機に設けられている液晶表示装置の液晶パネルに報知演出用の画像を表示させる、あるいは、遊技機の近傍、又は、遊技機に直接設けられた回転灯装置を動作させ、以上により報知演出を行うようになっている。
報知演出を行うために設けられる回転灯装置としては、ランプの周囲を旋回自在に設けた反射板をモータで旋回駆動し、ランプの照射光を周囲に旋回させる一般的なものが利用されている。
【０００５】
また、回転灯装置を備えた遊技機としては、回転灯装置の両側にそれぞれ回転可能に設けられた可動演出体と、回転灯装置のモータの回転駆動力を往復駆動力に変換して可動演出体に伝達する駆動力伝達機構とを備え、可動演出体に首振り運動を行わせるものが知られている（例えば、特許文献１参照）。
【特許文献１】特開２００４−７３３２５号（図２〜図７）
【発明の開示】
【発明が解決しようとする課題】
【０００６】
前述のような遊技機では、回転灯装置のモータで可動演出体も駆動しているので、回転灯装置を作動させると、可動演出体も同時に作動してしまうため、遊技の雰囲気を段階的に盛り上げるため、回転灯装置の作動開始後に、可動演出体を追って作動させることができない。このため、回転灯装置及び可動演出体を段階的に作動させることができず、これにより、演出効果を段階的に高めることができない。
ここで、可動演出体を駆動するモータを、回転灯装置のモータとは別個に設ければ、回転灯装置の作動開始後に、可動演出体を追って作動させることができ、回転灯装置及び可動演出体の段階的な作動が可能になるが、モータの数が増えてしまうので、遊技機において回転灯装置及び可動演出体が占有する容積が増大し、これら回転灯装置及び可動演出体の設置が困難になるという問題が発生する。
【０００７】
このため、モータの数を増やすことなく、回転灯装置及び可動演出体の段階的な作動を可能にし、演出効果を段階的に高められるようにしたい、という要望がある。
そこで、各請求項にそれぞれ記載された各発明は、上記した従来の技術の有する問題点に鑑みてなされたものであり、その目的とするところは、モータの数を増やすことなく、回転灯装置及び可動演出体の段階的な作動が可能となる遊技機を提供することである。
【課題を解決するための手段】
【０００８】
各請求項にそれぞれ記載された各発明は、前述の目的を達成するためになされたものである。以下に、各発明の特徴点を、図面に示した発明の実施の形態を用いて説明する。
なお、符号は、発明の実施の形態において用いた符号を示し、本発明の技術的範囲を限定するものではない。
（請求項１）
（特徴点）
請求項１記載の発明は、次の点を特徴とする。
すなわち、請求項１に記載された発明は、照射光を発する光源(65)と、この光源(65)の周囲を旋回可能に設けられた反射板(64)と、この反射板(64)を旋回駆動するモータ(68A) とが設けられ、前記反射板(64)を旋回させることにより、前記光源(65)が発する照射光を周囲に旋回させる回転灯装置(60)を備えた遊技機(１)であって、前記回転灯装置(60)から前記モータ(68A) の回転駆動力を取り出して所定の部位まで伝達する駆動力伝達手段(10)と、当該遊技機(１)の所定の部位に回転可能に設けられるとともに、前記駆動力伝達手段(10)を介して伝達された前記モータ(68A) の回転駆動力により回転駆動される可動演出体(５)と、前記モータ(68A) から前記可動演出体(５)までの間に設けられ、前記モータ(68A) からの回転駆動力を前記可動演出体(５)に伝達されるまえに遮断することが可能な伝達遮断手段(20,20A)とが設けられていることを特徴とする。
【０００９】
ここで、伝達遮断手段としては、ワンウェイ式、摩擦係合式、及び、歯車係合式のいずれもが採用できる。
ワンウェイ式の伝達遮断手段としては、回転駆動力の回転方向が、時計方向及び反時計方向の一方である場合に回転駆動力を伝達し、他方である場合に回転駆動力を遮断するラチェット型等のワンウェイクラッチ等が採用できる。
摩擦係合式の伝達遮断手段としては、近接離隔可能に設けられた一対の摩擦係合部材を備え、これら一対の摩擦係合部材を互いに接触させると、回転駆動力を伝達し、互いに離隔させると、回転駆動力を遮断するクラッチ装置等が採用できる。
【００１０】
歯車係合式の伝達遮断手段としては、第１から第３までの三つの歯車を有するギアトレインを備え、三つの歯車のうち、二つの歯車の中間に配置された中間歯車である第２歯車を、第３歯車と噛み合ったままの第１歯車と近接離隔可能に設け、第３歯車を第１歯車に近接させて噛み合わせることで、回転駆動力を伝達し、第３歯車を第１歯車から離隔させて噛み合わせを解除することで、回転駆動力を遮断するスインギングギア装置等が採用できる。
（請求項２）
（特徴点）
請求項２記載の発明は、前述した請求項１に記載の発明において、次の特徴点を備えているものである。
【００１１】
すなわち、請求項２記載の発明は、前記モータ(68A) から前記反射板(64)までの間に配置されるとともに、前記モータ(68A) から伝達された回転駆動力を遮断することが可能な駆動力遮断手段(70, 80)が前記回転灯装置(60)に設けられていることを特徴とする。
ここで、駆動力遮断手段としては、摩擦係合式、及び、歯車係合式のいずれもが採用できる。
摩擦係合式の駆動力遮断手段としては、近接離隔可能に設けられた一対の摩擦係合部材を備え、これら一対の摩擦係合部材を互いに接触させると、回転駆動力を伝達し、互いに離隔させると、回転駆動力を遮断するクラッチ装置等が採用できる。
【００１２】
歯車係合式の駆動力遮断手段としては、第１から第３までの三つの歯車を有するギアトレインを備え、三つの歯車のうち、二つの歯車の中間に配置された中間歯車である第２歯車を、第３歯車と噛み合ったままの第１歯車と近接離隔可能に設け、第３歯車を第１歯車に近接させて噛み合わせることで、回転駆動力を伝達し、第３歯車を第１歯車から離隔させて噛み合わせを解除することで、回転駆動力を遮断するスインギングギア装置等が採用できる。
（請求項３）
（特徴点）
請求項３記載の発明は、前述した請求項２に記載の発明において、次の特徴点を備えているものである。
【００１３】
すなわち、請求項３記載の発明は、前記伝達遮断手段(20,20A)及び前記駆動力遮断手段(70, 80)として、それぞれ別個に回転駆動力を遮断すること、及び、同時に回転駆動力を遮断することの両方が可能となっているものが採用されていることを特徴とする。
（請求項４）
（特徴点）
請求項４記載の発明は、前述した請求項１から請求項３までのいずれかに記載の発明において、次の特徴点を備えているものである。
すなわち、請求項４記載の発明は、前記回転灯装置(60)から照射されてきた照射光を反射できるように、前記可動演出体(５)の表面が鏡面となっていることを特徴とする。
【００１４】
（請求項５）
（特徴点）
請求項５記載の発明は、前述した請求項４記載の発明において、次の特徴点を備えているものである。
すなわち、請求項５記載の発明は、前記回転灯装置(60)が、前記光源(65)を消灯させた状態で、前記反射板(64)を旋回させることが可能となっていることを特徴とする。
【発明の効果】
【００１５】
（請求項１の効果）
以上のように構成されている本発明は、以下に記載されるような効果を奏する。
すなわち、請求項１記載の発明によれば、モータから可動演出体までの間に、モータからの回転駆動力が可動演出体に伝達されるまえに、当該回転駆動力を遮断することが可能な伝達遮断手段を設けたので、この伝達遮断手段でモータからの回転駆動力を遮断すれば、可動演出体を動作させずに、回転灯装置の反射板のみを動作させることができる。
これにより、回転灯装置のモータで可動演出体を駆動するようにしても、回転灯装置のみの作動が可能となり、遊技の雰囲気を段階的に盛り上げるため、回転灯装置の作動開始後に、可動演出体を追って作動させることができるようになる。従って、モータの数を増やすことなく、回転灯装置及び可動演出体を段階的に作動させることができ、演出効果を段階的に高めることができる。
【００１６】
（請求項２の効果）
請求項２記載の発明によれば、上記した請求項１記載の発明の効果に加え、次のような効果を奏する。
すなわち、請求項２記載の発明によれば、モータから反射板までの間に、モータから伝達された回転駆動力を遮断することが可能な駆動力遮断手段を設けたので、駆動力遮断手段で、モータからの回転駆動力を遮断すれば、回転灯装置の反射板を停止したまま、可動演出体のみを動作させることができる。
これにより、回転灯装置のモータで反射板及び可動演出体の両方を駆動するようにしても、可動演出体のみの作動も可能となる。
【００１７】
従って、１つのモータでも、可動演出体のみを作動させた状態、回転灯装置のみを作動させた状態、可動演出体及び回転灯装置の両方を作動させた状態の三つの作動状態が可能となり、回転灯装置及び可動演出体を三段階に作動させることができ、演出効果をより細かく段階的に高めることができる。
（請求項３の効果）
請求項３記載の発明によれば、上記した請求項２記載の発明の効果に加え、次のような効果を奏する。
すなわち、請求項３記載の発明によれば、伝達遮断手段及び駆動力遮断手段として、それぞれ別個に回転駆動力を遮断することが可能であり、且つ、同時に回転駆動力を遮断することも可能となっているものを採用したので、回転灯装置の光源を点灯させたまま、可動演出体のみを作動させること、回転灯装置の反射板のみを作動させること、及び、可動演出体及び回転灯装置の反射板の両方を作動させることが可能となるうえ、可動演出体及び回転灯装置の反射板の両方を停止させた状態で、回転灯装置の光源を点灯させることができるようになる。これにより、前述の三つの作動状態に、回転灯装置の光源を点灯させるだけの状態が加わり、演出効果をより細かく段階的に高めることができる。
【００１８】
（請求項４の効果）
請求項４記載の発明によれば、上記した請求項１から請求項３までのいずれかに記載の発明の効果に加え、次のような効果を奏する。
すなわち、請求項４記載の発明によれば、回転灯装置から照射されてきた照射光を反射できるように、可動演出体の表面を鏡面にしたので、可動演出体は、自らが発光しなくとも、回転灯装置の光源や、遊技機の周囲に存在する照明等の照射光を反射して輝くようになり、回転するだけで、遊技者等の目を引き付けることができ、充分な演出効果を発揮することができる。
【００１９】
（請求項５の効果）
請求項５記載の本発明によれば、上記した請求項４記載の発明の効果に加え、次のような効果を奏する。
すなわち、請求項５記載の発明によれば、光源を消灯した状態で、反射板を旋回させることが可能となっている回転灯装置を採用したので、回転灯装置の光源を点灯した状態で、回転灯装置の反射板及び可動演出体の一方又は両方を作動させることができる場合には、回転灯装置の光源を消灯した状態で、回転灯装置の反射板及び可動演出体の一方又は両方を作動させることができ、合わせて六つ以上の異なった作動状態を実現することができ、これにより、演出効果を更に一層細かく段階的に高めることができる。
【００２０】
なお、反射板や可動演出体は、表面が鏡面となっているので、自らが発光しなくとも、遊技機の周囲に存在する照明等の照射光を反射して輝くようになり、回転するだけで、遊技者等の目を引き付けることができ、充分な演出効果を発揮することができる。
【発明を実施するための最良の形態】
【００２１】
以下に、本発明を実施するための最良の形態である実施形態について、図面を参照しながら説明する。
［第１実施形態］
（図面の説明）
図１〜図５は、本発明の第１実施形態を示すものであり、図１は、本第１実施形態に係る遊技機であるスロットマシンの全体を示す正面図、図２は、本第１実施形態に係る回転灯装置を示す斜視図、図３は、本第１実施形態に係る回転灯装置を示す断面図、図４は、本第１実施形態に係る回転灯装置を示す分解斜視図、図５は、本第１実施形態の要部を示す斜視図、図６は、本第１実施形態に係る伝達遮断手段を示す断面図である。
【００２２】
（スロットマシン１の概要）
本実施形態に係るスロットマシン１は、複数の回転リール40の各々に記された複数種類の図柄が所定の組合せとなるように、回転している回転リール40を停止させる遊技を行うものである。このスロットマシン１には、図１に示すように、当該スロットマシン１の各種装置を収納するとともに、正面形状が長方形となった筐体２が備えられている。
筐体２は、正面全体が開口された箱状の部材である。そして、筐体２には、その開口を塞ぐための前扉３が回動可能に設けられている。
前扉３の上下方向における中央部分は、スロットマシン１の遊技操作を行うための操作部４となっている。
【００２３】
操作部４には、図１中右側から、前扉３の施錠を行う鍵が差し込まれる鍵穴3Aと、遊技用メダルが投入されるメダル投入口30と、回転リール40の回転を停止させるストップスイッチ31と、メダル投入口30に投入されたメダルのうち該遊技に賭けるメダルの枚数を設定するためのベットスイッチ８と、回転リール40の回転を開始させるスタートスイッチ32と、貯留されているメダルを払い戻させるための精算スイッチ９とが設けられている。
操作部４の下方には、文字及び図の少なくとも一方からなる標章、例えば、スロットマシン１の機種名を鮮明に表示するための下パネル3Bが設けられている。この下パネル3Bの裏側には、下パネル3Bを後方から照らす図示しないバックライト装置が設けられている。さらに、下パネル3Bの下方には、払い出されたメダルを溜めておくためのメダル受け3Cが設けられている。
【００２４】
また、操作部４の上方には、横方向に細長い長方形状に形成された図柄表示窓６が設けられている。図柄表示窓６は、筐体２の内部に収納された回転リール40の図柄41を遊技者に見せるための窓である。
図柄表示窓６の上方左右の角隅近傍には、種々の音声を出力するためのスピーカ42が設けられている。また、図柄表示窓６の中央部上方には、本発明に基づく回転灯装置60が設けられ、回転灯装置60の図１中左右両側には、本発明に基づく可動演出体５が一対設けられている。
ここで、可動演出体５の各々は、星形に形成されるとともに、回転灯装置60から照射されてきた照射光を反射できるように、両面が鏡面となった平板状の反射板である。可動演出体５は、スロットマシン１の所定の部位、具体的には、回転灯装置60とほぼ同じ高さレベルにおいて、回転灯装置60の左右にそれぞれ回転可能に設けられている。そして、回転灯装置60の照射光が回転している可動演出体５の表面で反射すると、その反射光も旋回するようになっている。
【００２５】
可動演出体５と回転灯装置60の間には、回転灯装置60から回転駆動力を取り出して所定の部位、具体的には、可動演出体５の位置まで伝達する後述する駆動力伝達手段10が設けられている。可動演出体５は、駆動力伝達手段10を介して伝達された回転灯装置60の回転駆動力で回転するようになっている。
これら回転灯装置60、スピーカ42及び図柄表示窓６の周囲には、回転灯装置60、スピーカ42及び図柄表示窓６の図１中左方、上方、右方を囲むように、逆Ｕ字形に配列された装飾ランプ部43が設けられている。
これらの装飾ランプ部43、回転灯装置60及びスピーカ42は、各遊技毎にスロットマシン１の内部で行われる当否抽選で、所定の当選役に対応した当選フラグが成立した際に行われる演出を行うための演出手段44となっている。
【００２６】
この演出手段44は、遊技者に当選フラグが成立すると、例えば、ボーナスフラグが成立すると、装飾ランプ部43を点灯又は点滅させる、回転灯装置60を作動させて、その照射光を旋回させる、及び、スピーカ42から当選音を発生させる等のいずれか一つを単独で作動させる、若しくは、これら二つ以上、又は、全部を同時に作動させることにより、遊技者に当選フラグの成立を報知する報知演出を行うようになっている。
筐体２の内部には、前述の三個の回転リール40を回転可能に支持するとともに、各回転リール40を回転駆動する図示しないモータを備えたリールユニット45と、メダル投入口30に投入されたメダルを検知する投入スイッチ７と、この投入スイッチ７を通過してきたメダルを貯留する容器であるとともに、入賞時には遊技者にメダルを払い出すホッパーユニット46とが設けられている。
【００２７】
このうち、リールユニット45は、図示しない枠体と、この枠体に支持された前述の図示しない三個のモータと、各々のモータの出力軸に結合された三個の回転リール40とを備えたものである。
ホッパーユニット46は、内部に貯留しているメダルを入賞時に遊技者に払い出すために、メダル受け3Cに臨むように開口された払い出し口46A を通じてメダルをメダル受け3Cへ排出するものである。
（回転灯装置60）
次に、本実施形態に係る回転灯装置60について説明する。
【００２８】
図２〜図４には、本実施形態に係る回転灯装置60が示されている。図２〜図４において、回転灯装置60は、略白色の照射光を発する光源である白熱電球65と、この白熱電球65の周囲を旋回可能に設けられた反射板64とを備えたものとなっている。そして、回転灯装置60は、反射板64を旋回させることにより、白熱電球65が発する照射光を周囲に旋回させながら、当該照射光を周囲に照射するようになっている。
回転灯装置60には、図２〜図４に示すように、白熱電球65及び反射板64に加えて、反射板64を旋回駆動するための旋回駆動機構部68と、旋回駆動機構部68を内部に収納するケース部61と、白熱電球65及び反射板64を内部に収納する風防部63と、ケース部61及び風防部63の間に介装されている接続部62とが設けられている。
【００２９】
反射板64は、旋回駆動機構部68に回転自在に設けられるとともに、その回転軸の上に焦点が設けられている凹面鏡である。白熱電球65及び反射板64は、反射板64の焦点位置と、白熱電球65の発光するフィラメントの中心位置とがほぼ一致するように、回転灯装置60に取り付けられている。
旋回駆動機構部68は、反射板64を旋回駆動する原動機として、電力で作動するモータ68A を有するものとなっている。
この旋回駆動機構部68には、図３及び図４の如く、前述のモータ68A に加えて、モータ68A の出力軸に取り付けられたピニオンギア68B と、モータ68A の駆動力を減速して反射板64側へ伝達するための減速ギア68C と、モータ68A の駆動力で回転駆動される回転基部68D と、モータ68A を支持する平板状の支持ベース板68E と、回転基部68D を下方から回転自在に支持するホルダ部68F とが設けられている。
【００３０】
このうち、減速ギア68C は、大型の歯車と小型の歯車が同軸位置になるように一体化されたものであり、大型の歯車がモータ68A の取り付けられたピニオンギア68B と噛み合っている。
回転基部68D は、平たい円形リング状に形成されたものである。この回転基部68D の円形リング状の内周縁部分には、減速ギア68C の小型の歯車と噛み合うための歯車部68G が設けられている。
具体的に説明すると、円形リング状に形成された回転基部68D の内周縁部分は、モータ68A 側に突出する円筒状に形成され、この円筒状の外周面には、減速ギア68C の小型の歯車と噛み合う多数の歯が形成されている。回転基部68D の歯車部68G は、これらの歯により形成されたものとなっている。
【００３１】
回転基部68D の外周縁近傍の部分には、図３の如く、複数の嵌合凹部68H が設けられている。一方、反射板64の回転基部68D 側に配置された端部は、円盤状に広がったターンテーブル部64A とされている。このターンテーブル部64A の回転基部68D 側を臨む面には、回転基部68D 側に複数設けられた嵌合凹部68H に対応して、複数の突起部64B が突設されている。反射板64は、その突起部64B のそれぞれが回転基部68D の対応する嵌合凹部68H に嵌合され、これにより回転基部68D に対して回り止めされ、この状態で、回転基部68D にネジ留めされている。
また、回転基部68D の内周面には、図３中下方を向いた突出面を備えた段付部68I が形成されている。一方、ホルダ部68F の外周面には、図３中上方を向いた突出上面を備えた鍔部68J が突設されている。そして、回転基部68D の段付部68I は、その内径D1（図４参照）がホルダ部68F 本体の外周面の直径D2（図４参照）よりも僅かに小さくなるように設定されている。これにより、回転基部68D は、ホルダ部68F に設けられた鍔部68J の上に段付部68I を載せると、この状態で、ホルダ部68F に回転自在に支持されるようになっている。
【００３２】
そして、ホルダ部68F には、図４中上方の面から支持ベース板68E へ向かって延びる一対の脚部68K が設けられている。ホルダ部68F は、リング状の回転基部68D の内部に脚部68K を挿通させ、且つ、その鍔部68J に回転基部68D の段付部68I を支持させた状態で、脚部68K の先端が支持ベース板68E に接合されている。
支持ベース板68E の風防部63側の面には、図３及び図４の如く、白熱電球65を支持するソケット67の基端が取り付けられている。このソケット67は、筒状の本体内部に図示しない一対の電極が形成されたものである。白熱電球65は、ソケット67の電極と電気的に接続して電力供給を受けるようになっている。
【００３３】
ここで、反射板64の円盤状に広がったターンテーブル部64A 及びホルダ部68F には、中央部分にソケット67の先端部分を挿通させる挿通孔64C, 68Lが設けられている。
白熱電球65は、ホルダ部68F の挿通孔68L 及び反射板64の挿通孔64C の内部に挿通されたソケット67の内部に、その電極部65A が嵌合するようになっている。
ケース部61は、図２の如く、平面形状がU字形状に形成された底板部61D と、この底板部61D の周縁に沿って立設された側壁部61C とを備えた箱状に形成されたものであり、内部に旋回駆動機構部68を収納するようになっている。なお、底板部61D は、U字形状の半円形状に膨出した部分が他の部分から斜めに起き上がり、その断面形状が「へ」の字形に形成されたものである。
【００３４】
ケース部61には、図２〜図４の如く、スロットマシン１にネジ留めするために、図４中上方の面及び側面のそれぞれから突出する複数の耳部61A が設けられている。これらの耳部61A の各々には、スロットマシン１の被取付部位に螺合させるための図示しないネジが略水平方向に挿通されるネジ挿通孔61B が形成されている。
このケース部61の内部には、図３及び図４の如く、前述の旋回駆動機構部68に加えて、旋回駆動機構部68のモータ68A 及び白熱電球65を制御するための制御回路部が形成された回路基板19が収納されている。この回路基板19の制御回路部は、旋回駆動機構部68のモータ68A 及び白熱電球65への電力を入り切りするための図示しないスイッチング素子を備え、外部から指令信号、具体的には、スロットマシン１から演出指令信号を受信し、この演出指令信号に応じてモータ68A 及び白熱電球65を作動させるものとなっている。
【００３５】
ここで、回路基板19の制御回路部は、白熱電球65を消灯した状態でモータ68A を作動させること、モータ68A を停止した状態で白熱電球65を点灯すること、及び、白熱電球65を点灯した状態で、モータ68A を作動させることのいずれについても、その動作制御が可能となっている。
これにより、回転灯装置60は、白熱電球65を消灯させた状態で、反射板64を旋回させる動作、白熱電球65を点灯させた状態で、反射板64を旋回させる動作、及び、反射板64を停止した状態で、白熱電球65を点灯させる動作のいずれもが行えるようになっている。
風防部63は、上方図４中上方となる一端側が開口された円筒状の側壁部63A と、この側壁部63A の他端側を塞ぐ半球状のドーム部63C とを備えた容器状に形成され、内部に白熱電球65及び反射板64を収納するようになっている。この風防部63の内法は、白熱電球65の周囲を反射板64が回転可能となるように設定されている。
【００３６】
また、風防部63を形成する材料の材質は、白熱電球65が発する照射光を外部へ照射できるように、透明赤色の合成樹脂となっている。
さらに、側壁部63A の開口に近接する内周面、換言すると、風防部63の開口に近接する内周面には、螺旋状に延びるネジ溝からなる雌ネジ部63B が形成されている。これにより、風防部63の開口近傍部分は、雌ネジ部63B を備えた雌ネジとなっている。そして、この雌ネジ部63B が、風防部63を接続部62に接続する接続部分（螺合部分）となっている。
接続部62は、ケース部61及び風防部63の間に介装されて、ケース部61及び風防部63を相互に接続するものである。
【００３７】
この接続部62には、ケース部61に設けられている側壁部61C と対応する側壁部62A が形成されている。接続部62の側壁部62A は、その上端面の外周側が段差となった段付部62B を備えている。
この接続部62の段付部62B に対応して、ケース部61の側壁部61C は、その上端面の内周側が段差となった段付部61E (図３にのみ示す）を備えている。
また、接続部62の側壁部62A には、ケース部61と螺合するネジ62C (図３にのみ示す）を挿通させる挿通孔62D が形成されている複数の突起部62E が設けられている。
接続部62は、その段付部62B をケース部61側の段付部61E の内側に嵌合させた状態で、その突起部62E の挿通孔62D に挿通されたネジ62C をケース部61に螺合させることにより、ケース部61に接続されている。
【００３８】
また、接続部62には、風防部63の側壁部63A と対応する円筒状の側壁部62F が形成されている。この側壁部62F の外周面には、ネジ溝が形成され、これにより、側壁部62F が雄ネジとなっている。
接続部62は、雄ネジとなっている側壁部62F の先端縁が風防部63の開口内部に嵌め込まれた状態で、風防部63及び接続部62の一方を他方に対して相対的に回転させ、雄ネジとなっている側壁部62F を風防部63の雌ネジ部63B に螺合することにより、風防部63との接続がなされるようになっている。
ここで、回転灯装置60には、回転灯装置60からモータ68A の回転駆動力を外部へ取り出すための駆動力取出シャフト11と、この駆動力取出シャフト11で取り出した回転駆動力を伝達するとともに、当該回転駆動力の回転方向を変換する垂直駆動笠歯車12とが回転自在に取り付けられている。これらの駆動力取出シャフト11及び垂直駆動笠歯車12は、次に説明する駆動力伝達手段10を構成する構成部品となっている。
【００３９】
駆動力伝達手段10は、回転灯装置60からモータ68A で可動演出体５を回転駆動するためには、モータ68A の回転駆動力を可動演出体５まで伝達するものである。
駆動力伝達手段10には、前述した駆動力取出シャフト11及び垂直駆動笠歯車12に加えて、図５に示すように、モータ68A の回転駆動力を受けるピニオンギア13と、垂直駆動笠歯車12が伝達する回転駆動力を受ける水平被駆動笠歯車14と、水平被駆動笠歯車14が受けた回転駆動力を左右両方向に伝達する駆動水平シャフト15と、駆動水平シャフト15が伝達する回転駆動力を下方へ伝達するための水平駆動笠歯車16と、この水平駆動笠歯車16が伝達する回転駆動力を受ける垂直被駆動笠歯車17と、垂直被駆動笠歯車17が受けた回動駆動力で回転する駆動垂直シャフト18とが設けられている。
【００４０】
ピニオンギア13は、回転灯装置60のモータ68A に駆動される減速ギア68C と噛み合うことにより、モータ68A の回転駆動力を間接的に受けるものである。そして、ピニオンギア13は、回転灯装置60に回転自在に設けられている駆動力取出シャフト11の図５中下方の端部に回転不能に固定されている。
駆動力取出シャフト11は、図５中上下方向に延びる棒状の部材であり、ピニオンギア13が受けたモータ68A の回転駆動力で回転駆動されるものである。駆動力取出シャフト11の図５中上方の端部には、垂直駆動笠歯車12が回転不能に固定されている。これにより、駆動力取出シャフト11によってモータ68A の回転駆動力が垂直駆動笠歯車12に伝達されて、垂直駆動笠歯車12が回転駆動されるようになっている。
【００４１】
垂直駆動笠歯車12及び水平被駆動笠歯車14は、駆動力取出シャフト11が伝達する回転軸が略垂直の回転駆動力を、回転軸が略水平の回転駆動力に変換するものである。すなわち、垂直駆動笠歯車12及び水平被駆動笠歯車14は、それぞれが傾斜した多数の歯を有する歯車であり、回転軸が互いに略直交した状態で相互に噛み合うようになっている。
そして、水平被駆動笠歯車14は、駆動水平シャフト15のほぼ中央に配置され、垂直駆動笠歯車12に伝達された回転駆動力を受けて、駆動水平シャフト15を回転駆動することができるようになっている。
駆動水平シャフト15は、図５左右方向に延びる棒状の部材であり、水平被駆動笠歯車14が受けたモータ68A の回転駆動力で回転駆動可能となっている。駆動水平シャフト15の左右の端部は、可動演出体５のほぼ真上まで到達している。そして、駆動水平シャフト15の左右端部の各々には、水平駆動笠歯車16が回転不能に固定されている。これにより、駆動水平シャフト15にモータ68A の回転駆動力が伝達されると、水平駆動笠歯車16が回転駆動されるようになっている。
【００４２】
水平駆動笠歯車16及び垂直被駆動笠歯車17は、駆動水平シャフト15が伝達する回転軸が略水平の回転駆動力を、回転軸が略垂直の回転駆動力に変換するものである。すなわち、水平駆動笠歯車16及び垂直被駆動笠歯車17は、垂直駆動笠歯車12及び水平被駆動笠歯車14と同様に、それぞれが傾斜した多数の歯を有する歯車であり、回転軸が互いに略直交した状態で相互に噛み合うようになっている。
そして、垂直被駆動笠歯車17は、駆動垂直シャフト18の図５中上方の端部に回転不能に固定され、水平駆動笠歯車16に伝達された回転駆動力を受けて、駆動垂直シャフト18を回転駆動するようになっている。
【００４３】
駆動垂直シャフト18は、図５中下方の端部に可動演出体５が回転不能に固定されたものとなっている。これにより、可動演出体５は、モータ68A の回転駆動力が駆動垂直シャフト18に伝達され、駆動垂直シャフト18が回転駆動されると、駆動垂直シャフト18とともに回転するようになっている。
この際、回転灯装置60のモータ68A から可動演出体５までの間、より具体的に説明すると、水平被駆動笠歯車14及び駆動水平シャフト15の間には、モータ68A からの回転駆動力が可動演出体５に伝達されるまえに、当該回転駆動力を遮断することが可能な伝達遮断手段20が設けられている。
【００４４】
伝達遮断手段20は、水平被駆動笠歯車14が受けた回転駆動力の回転方向が、時計方向及び反時計方向の一方である場合に、当該回転駆動力を駆動水平シャフト15に伝達し、他方である場合に、当該回転駆動力を遮断し、駆動水平シャフト15には伝達しないラチェット型ワンウェイクラッチとなっている。
図６には、伝達遮断手段20としてのラチェット型ワンウェイクラッチの一例が示されている。図６において、水平被駆動笠歯車14の中心には、図６の如く、軸方向に沿って水平被駆動笠歯車14を貫通するとともに、駆動水平シャフト15を遊嵌させる貫通孔14A が設けられている。この貫通孔14A には、貫通孔14A の内径に対応した外径を有する円筒状のラチェット基部21A が挿通されている。これにより、ラチェット基部21A が水平被駆動笠歯車14に対して回転自在となっている。
【００４５】
ラチェット基部21A の図６中右方の端部は、水平被駆動笠歯車14の図６中右方を向いた平坦面から突出し、この突出した端部には、水平被駆動笠歯車14と同軸となる爪歯車21B が一体的に形成されている。
ラチェット基部21A の内部には、駆動水平シャフト15が挿通されている。ラチェット基部21A の内周面には、径方向外側へ凹んだ凹部21C が形成されている。
一方、駆動水平シャフト15の外周面には、ラチェット基部21A 側の凹部21C に対応した凸部15A が設けられている。駆動水平シャフト15の凸部15A は、ラチェット基部21A の凹部21C に嵌合している。これにより、ラチェット基部21A は、駆動水平シャフト15に対して回転不能となっており、当該爪歯車21B が受けた回転駆動力が駆動水平シャフト15に伝達されるようになっている。
【００４６】
また、水平被駆動笠歯車14の図６中右方を向いた平坦面には、リング状の係合基部21D が取り付けられている。更に詳しく説明すると、水平被駆動笠歯車14の図６中右方の端面には、複数の係止凹部14B が設けられている。係合基部21D の水平被駆動笠歯車14と対向する面には、水平被駆動笠歯車14側の係止凹部14B に対応した係合凸部21E が設けられている。
係合基部21D は、係合凸部21E を水平被駆動笠歯車14側の係止凹部14B に嵌合することにより、水平被駆動笠歯車14に回転不能に取り付けられている。
このような係合基部21D の内周面には、係合爪21F が揺動可能、換言すると、起立状態及び転倒状態の一方から他方へ移行可能に設けられている。そして、係合爪21F は、常に起立状態となるように、図示しない弾性体に付勢されている。
【００４７】
ここで、係合基部21D の係合爪21F は、ラチェット基部21A 側の爪歯車21B が時計方向及び反時計方向の一方の回転方向（以下、「正回転方向」という。）に向かって回転すると、爪歯車21B の歯と係合して起立し、爪歯車21B の歯と噛み合うようになっている。これにより、正回転方向の回転駆動力は、係合基部21D の係合爪21F を爪歯車21B の歯に係合させ、爪歯車21B を介して駆動水平シャフト15に伝達されるようになっている。
また、係合基部21D の係合爪21F は、ラチェット基部21A 側の爪歯車21B が時計方向及び反時計方向の他方の回転方向（以下、「逆回転方向」という。）に向かって回転すると、爪歯車21B の歯に弾かれて転倒し、爪歯車21B の歯と噛み合わないようになっている。これにより、水平被駆動笠歯車14が受けた逆回転方向の回転駆動力を遮断し、当該逆回転方向の回転駆動力が、水平被駆動笠歯車14から駆動水平シャフト15に伝達されないようになっている。
【００４８】
以上のようなスロットマシン１においては、回転灯装置60のモータ68A を所定の回転方向に回転駆動させると、回転灯装置60の反射板64が回転し、これと同時に、伝達遮断手段20により、モータ68A の回転駆動力が水平被駆動笠歯車14から駆動水平シャフト15に伝達されて、可動演出体５も回転するようになっている。
一方、回転灯装置60のモータ68A を所定の回転方向とは逆の回転方向に回転駆動させると、回転灯装置60の反射板64が回転するとともに、伝達遮断手段20により、モータ68A の回転駆動力が遮断され、可動演出体５が回転しないようになっている。
以上により、モータ68A への印加電圧の極性を切り換える電気的な操作だけで、回転灯装置60の反射板64及び可動演出体５の動作切換が行えるようになっている。換言すると、モータ68A の印加電圧の極性切換により、回転灯装置60の反射板64及び可動演出体５の同時並行作動、及び、回転灯装置60の反射板64のみの単独作動の一方から他方へ切り換える動作切換が行えるようになっている。
【００４９】
前述のような本第１実施形態によれば、次のような効果が得られる。
すなわち、回転灯装置60のモータ68A から可動演出体５までの間に、モータ68A からの回転駆動力を遮断可能な伝達遮断手段20を設け、モータ68A からの回転駆動力を可動演出体５に伝達されるまえに遮断することを可能としたので、この伝達遮断手段20でモータ68A からの回転駆動力を遮断すれば、可動演出体５を動作させずに、回転灯装置60の反射板64のみを動作させることができる。
これにより、回転灯装置60のモータ68A で可動演出体５を駆動しても、回転灯装置60のみの作動が可能となり、遊技の雰囲気を段階的に盛り上げるため、回転灯装置60の作動開始後に、可動演出体５を追って作動させることができるようになる。従って、モータ68A の数を増やすことなく、回転灯装置60及び可動演出体５を段階的に作動させることができ、演出効果を段階的に高めることができる。
【００５０】
しかも、伝達遮断手段20として、ラチェット型ワンウェイクラッチを採用したので、モータ68A への印加電圧の極性を切り換える電気的な操作だけで、回転灯装置60の反射板64及び可動演出体５の動作切換が行え、動作切換を行うために、ソレノイド操作機等のアクチュエータが不要となるので、伝達遮断手段20の構造を簡略化することができる。
また、回転灯装置60から照射されてきた照射光を反射できるように、可動演出体５の表面を鏡面にしたので、可動演出体５は、自らが発光しなくとも、回転灯装置60の白熱電球65や、スロットマシン１の周囲に存在する照明等の照射光を反射して輝くようになり、回転するだけで、遊技者等の目を引き付けることができ、充分な演出効果を発揮することができる。
【００５１】
さらに、回路基板19の制御回路部は、白熱電球65を消灯した状態でモータ68A を作動させることが可能なので、回転灯装置60の白熱電球65を点灯した状態で、回転灯装置60の反射板64のみを動作させること、並びに、回転灯装置60の反射板64及び可動演出体５の両方を動作させることに加えて、回転灯装置60の白熱電球65を消灯した状態で、回転灯装置60の反射板64のみを動作させること、並びに、回転灯装置60の反射板64及び可動演出体５の両方を動作させることもできるようになり、これにより、合わせて四つ以上の異なった作動状態を実現することができ、演出効果を更に一層細かく段階的に高めることができる。［第２実施形態］
図７には、本発明の第２実施形態が示されている。本第２実施形態は、前記第１実施形態におけるラチェット型ワンウェイクラッチを含んで構成された伝達遮断手段20を、摩擦係合式のクラッチ装置を含んで構成された伝達遮断手段20A としたものである。
【００５２】
すなわち、図７において、駆動力伝達手段10に設けられている水平被駆動笠歯車14の中心には、前記第１実施形態において説明したように、駆動水平シャフト15を遊嵌させる貫通孔14A が設けられている。この貫通孔14A には、貫通孔14A の内径に対応した外径を有する円筒状のクラッチ基部22A が挿通されている。このクラッチ基部22A は、貫通孔14A に挿通された状態では、水平被駆動笠歯車14に対して回転自在となっている。
クラッチ基部22A の図７中右方の端部は、水平被駆動笠歯車14の図７中右方を向いた平坦面から突出し、この突出した端部には、水平被駆動笠歯車14と同軸となるクラッチ板22B が一体的に形成されている。これにより、クラッチ基部22A 全体の側面形状は、Ｔ字形となっている。
【００５３】
クラッチ基部22A の内部には、駆動水平シャフト15が挿通されている。クラッチ基部22A の内周面には、径方向外側へ凹んだ凹部22C が形成されている。
一方、駆動水平シャフト15の外周面には、クラッチ基部22A 側の凹部22C に対応した凸部15A が設けられている。
この駆動水平シャフト15の凸部15A は、クラッチ基部22A の凹部22C の内部に嵌合している。そして、駆動水平シャフト15の軸方向おける凸部15A の長さ寸法は、クラッチ基部22A の凹部22C の長さ寸法よりも短くなっている。
これにより、クラッチ基部22A は、凹部22C 内で凸部15A が相対的に移動可能な範囲おいて、駆動水平シャフト15の長手方向に沿って摺動可能となっているとともに、駆動水平シャフト15に対して回転不能となっている。
【００５４】
また、水平被駆動笠歯車14の図７中右方を向いた平坦面は、その表面の摩擦係数が大きい摩擦係合面14C となっている。
一方、この摩擦係合面14C と対向するクラッチ板22B の図７中左方の面は、摩擦係合面14C と同様に、その表面の摩擦係数が大きい摩擦係合面22D となっている。
ここで、駆動水平シャフト15には、筒状に形成されたクラッチ基部22A の内径よりも大きな鍔部14D が設けられている。この鍔部14D は、クラッチ基部22A の図７中右方に配置される。
鍔部14D 及びクラッチ基部22A の間には、水平被駆動笠歯車14側の摩擦係合面14C と、クラッチ板22B の摩擦係合面22D とを接触させるために、クラッチ基部22A を水平被駆動笠歯車14に向かって付勢するコイルスプリング22E が介装されている。
【００５５】
コイルスプリング22E の付勢力により、水平被駆動笠歯車14側の摩擦係合面14C と、クラッチ板22B の摩擦係合面22D とが常時接触し、水平被駆動笠歯車14にまで到達してきた回転駆動力が、クラッチ板22B に伝達されるようになっている。
クラッチ板22B の外周面には、当該クラッチ板22B の全周に渡って延びる操作用係合溝22F が形成されている。この操作用係合溝22F には、スロットマシン１の前扉３側に揺動可能に設けられたレバー22G の一端が係合されている。
このレバー22G の他端は、スロットマシン１の前扉３側に取り付けられたソレノイド操作機22H のプランジャー22I の先端に係合している。
【００５６】
ここで、ソレノイド操作機22H は、電力が供給されると、プランジャー22I を前進させる一方、電力の供給がなくなると、プランジャー22I を後退させるように構成されたものである。
電力の供給を受けてソレノイド操作機22H がプランジャー22I を前進させると、レバー22G がコイルスプリング22E の付勢力に抗して、クラッチ板22B の摩擦係合面22D を水平被駆動笠歯車14側の摩擦係合面14C から離すようになっている。
そして、電力の供給がなくなると、ソレノイド操作機22H のプランジャー22I が後退し、コイルスプリング22E の付勢力により、クラッチ板22B の摩擦係合面22D が水平被駆動笠歯車14側の摩擦係合面14C に接触するようになっている。
【００５７】
換言すると、ソレノイド操作機22H に電力を供給すると、クラッチ板22B の摩擦係合面22D が水平被駆動笠歯車14側の摩擦係合面14C から離れ、水平被駆動笠歯車14にまで到達してきた回転駆動力が遮断され、クラッチ板22B に伝達されないようになっている。
そして、ソレノイド操作機22H に電力を供給しなければ、コイルスプリング22E の付勢力により、クラッチ板22B の摩擦係合面22D が水平被駆動笠歯車14側の摩擦係合面14C に接触し、水平被駆動笠歯車14にまで到達してきた回転駆動力がクラッチ板22B に伝達されるようになっている。
以上のような本第２実施形態では、ソレノイド操作機22H に電力を供給しなければ、モータ68A の回転駆動力が可動演出体５まで伝達され、可動演出体５が回転する一方、ソレノイド操作機22H に電力を供給すれば、モータ68A の回転駆動力が途中で遮断され、可動演出体５まで伝達されなくなるなり、可動演出体５が停止するようになっている。
【００５８】
このように、ソレノイド操作機22H の電気的な操作により、可動演出体５の始動操作及び停止操作が行え、これを利用することで、回転灯装置60の反射板64及び可動演出体５の動作を段階的に切り換えることが可能となっている。
従って、本第２実施形態によっても、前記第１実施形態と同様の作用効果を奏することができる。すなわち、本第２実施形態によれば、回転灯装置60のモータ68A で可動演出体５を駆動しても、回転灯装置60のみの作動が可能となり、遊技の雰囲気を段階的に盛り上げるため、回転灯装置60の作動開始後に、可動演出体５を追って作動させることができるようになる。このため、モータ68A の数を増やすことなく、回転灯装置60及び可動演出体５を段階的に作動させることができ、演出効果を段階的に高めることができる、という効果を達成することができる。
［第３実施形態］
図８及び図９には、本発明の第３実施形態が示されている。本第３実施形態は、前記第２実施形態における回転灯装置60に、反射板64への回転駆動力を遮断することが可能な駆動力遮断手段70を加えたものとなっている。なお、図８においては、伝達遮断手段20A の図示が省略されている。
【００５９】
すなわち、図８に示すように、モータ68A の回転駆動力を減速して反射板64側へ伝達するための減速ギア68C は、モータ68A の出力軸に取り付けられたピニオンギア68B の図８中右側に配置されている。減速ギア68C の元の位置には、駆動力伝達手段10のピニオンギア13に、モータ68A の回転駆動力を伝達するための減速ギア68M が設けられている。
ここで、前述の駆動力遮断手段70は、モータ68A の回転駆動力を反射板64側へ伝達するための減速ギア68C に組み込まれている。
具体的には、減速ギア68C は、図９に示すように、モータ68A の出力軸に取り付けられたピニオンギア68B と噛み合う大型の大径歯車71A と、反射板64が取り付けられた回転基部68D に形成された歯車部68G と噛み合う小型の小径歯車71B とが同軸位置に配置されたものとなっている。
【００６０】
ここで、大径歯車71A の中心には、端部に小径歯車71B が固定された駆動シャフト71C を遊嵌させる貫通孔71D が設けられている。この貫通孔71D には、当該貫通孔71D の内径に対応した外径を有する円筒状のクラッチ基部72A が挿通されている。このクラッチ基部72A は、貫通孔71D に挿通されただけの状態では、大径歯車71A に対して回転自在となっている。
クラッチ基部72A の図９中上方の端部は、大径歯車71A の図９中右方を向いた平坦面から突出し、この突出した端部には、大径歯車71A と同軸となるクラッチ板72B が一体的に形成されている。これにより、クラッチ基部72A は、その全体の側面形状がＴ字形となっている。
【００６１】
クラッチ基部72A の内部には、駆動シャフト71C が挿通されている。クラッチ基部72A の内周面には、径方向外側へ凹んだ凹部72C が形成されている。
一方、駆動シャフト71C の外周面には、クラッチ基部72A 側の凹部72C に対応した凸部71E が設けられている。
この駆動シャフト71C の凸部71E は、クラッチ基部72A の凹部72C の内部に嵌合している。そして、駆動シャフト71Cの軸方向おける凸部71E の長さ寸法は、クラッチ基部72A の凹部72C の長さ寸法よりも短くなっている。
これにより、クラッチ基部72A は、凹部72C 内で凸部71E が相対的に移動可能な範囲おいて、駆動シャフト71C の長手方向に沿って摺動可能となっているとともに、駆動シャフト71C に対して回転不能となっている。
【００６２】
また、大径歯車71A の図９中上方を向いた平坦面は、その表面の摩擦係数が大きい摩擦係合面71F となっている。
一方、この摩擦係合面71F と対向するクラッチ板72B の図９中下方の面は、摩擦係合面71F と同様に、その表面の摩擦係数が大きい摩擦係合面72D となっている。
ここで、駆動シャフト71C には、筒状に形成されたクラッチ基部72A の内径よりも大きな鍔部71G が設けられている。この鍔部71G は、クラッチ基部72A の図９中上方に配置される。
鍔部71G 及びクラッチ基部72A の間には、大径歯車71A 側の摩擦係合面71F と、クラッチ板72B の摩擦係合面72D とを接触させるために、クラッチ基部72A を大径歯車71A に向かって付勢するコイルスプリング72E が介装されている。
【００６３】
コイルスプリング72E の付勢力により、大径歯車71A 側の摩擦係合面71F と、クラッチ板72B の摩擦係合面72D とが常時接触し、大径歯車71A にまで到達してきた回転駆動力が、クラッチ板72B に伝達されるようになっている。
クラッチ板72B の外周面には、当該クラッチ板72B の全周に渡って延びる操作用係合溝72F が形成されている。この操作用係合溝72F には、スロットマシン１の前扉３側に揺動可能に設けられたレバー72G の一端が係合されている。
このレバー72G の他端は、スロットマシン１の前扉３側に取り付けられたソレノイド操作機72H のプランジャー72I の先端に係合している。
【００６４】
ここで、ソレノイド操作機22H は、電力が供給されると、プランジャー22I を前進させる一方、電力の供給がなくなると、プランジャー22I を後退させるように構成されたものである。
電力の供給を受けてソレノイド操作機72H がプランジャー72I を前進させると、レバー72G がコイルスプリング72E の付勢力に抗して、クラッチ板72B の摩擦係合面72D を移動して大径歯車71A 側の摩擦係合面71F から離すようになっている。
そして、電力の供給がなくなると、ソレノイド操作機72H のプランジャー72I が後退し、コイルスプリング72E の付勢力により、クラッチ板72B の摩擦係合面72D が大径歯車71A 側に移動して、摩擦係合面71F に接触するようになっている。
【００６５】
換言すると、ソレノイド操作機72H に電力を供給すると、クラッチ板72B の摩擦係合面72D が大径歯車71A 側の摩擦係合面71F から離れ、大径歯車71A にまで到達してきた回転駆動力が遮断され、クラッチ板72B に伝達されないようになっている。
そして、ソレノイド操作機72H に電力を供給しなければ、コイルスプリング72E の付勢力により、クラッチ板72B の摩擦係合面72D が大径歯車71A 側の摩擦係合面71F に接触し、大径歯車71A にまで到達してきた回転駆動力がクラッチ板72B に伝達されるようになっている。
以上のような本第３実施形態では、ソレノイド操作機72H に電力を供給しなければ、モータ68A の回転駆動力が反射板64まで伝達され、反射板64が回転する一方、ソレノイド操作機72H に電力を供給すれば、モータ68A の回転駆動力が途中で遮断され、反射板64まで伝達されなくなるなり、反射板64が停止するようになっている。
【００６６】
このように、ソレノイド操作機72H の電気的な操作により、反射板64の始動操作及び停止操作が行え、これを利用することで、回転灯装置60の反射板64及び可動演出体５の動作を段階的に切り換えることが可能となっている。
以上のような第３実施形態によれば、前記第１及び第２実施形態と同様の作用・効果を達成できるほか、次のような効果を付加できる。
すなわち、モータ68A から反射板64までの間に、モータ68A から伝達された回転駆動力を遮断することが可能な駆動力遮断手段70を設けたので、駆動力遮断手段70で、モータ68A からの回転駆動力を遮断すれば、回転灯装置60の反射板64を停止したまま、可動演出体５のみを動作させることができる。
【００６７】
これにより、回転灯装置60のモータ68A で反射板64及び可動演出体５の両方を駆動するようにしても、可動演出体５のみの作動も可能となる。
従って、１つのモータ68A でも、回転灯装置60の白熱電球65を点灯させた状態において、可動演出体５のみを作動させた状態、回転灯装置60のみを作動させた状態、可動演出体５及び回転灯装置60の両方を作動させた状態の三つの作動状態が可能となり、回転灯装置60及び可動演出体５を三段階に作動させることができ、演出効果をより細かく段階的に高めることができる。
また、伝達遮断手段20A 及び駆動力遮断手段70は、それぞれ別個に回転駆動力を遮断することが可能であり、しかも、同時に回転駆動力を遮断することも可能となっているので、回転灯装置60の光源を点灯させたまま、可動演出体５のみを作動させること、回転灯装置60の反射板64のみを作動させること、及び、可動演出体５及び回転灯装置60の反射板64の両方を作動させることが可能となるうえ、可動演出体５及び回転灯装置60の反射板64の両方を停止させた状態で、回転灯装置60の白熱電球65を点灯させることができるようになる。これにより、前述の三つの作動状態に、回転灯装置60の白熱電球65を点灯させるだけの状態が加わり、演出効果をより細かく段階的に高めることができる。
［第４実施形態］
図１０には、本発明の第４実施形態が示されている。本第４実施形態は、前記第３実施形態における摩擦係合式のクラッチ装置を含んで構成された伝達遮断手段20A 及び駆動力遮断手段70を、複数の歯車の係合を解除することで回転駆動力を遮断する歯車係合式の伝達遮断手段20B 及び駆動力遮断手段80としたものである。
【００６８】
すなわち、図１０に示すように、モータ68A の出力軸に取り付けられたピニオンギア68B には、反射板64側へ回転駆動力を伝達するための減速ギア68C の大径歯車71A と、可動演出体５側へ回転駆動力を伝達するための減速ギア68M が噛み合うようになっている。
ここで、伝達遮断手段20B は、減速ギア68M をピニオンギア68B に近接離隔させて、減速ギア68M とピニオンギア68B との噛み合いの成立及び解除を行うものとなっている。
具体的には、減速ギア68M は、スロットマシン１の前扉３側に揺動可能に設けられたスイングアーム23の一端に回転自在に取り付けられている。
また、減速ギア68M は、回転灯装置60から外部へモータ68A の回転駆動力を取り出すための駆動力取出シャフト11の端部に固定されたピニオンギア13と噛み合っている。
【００６９】
スイングアーム23は、駆動力取出シャフト11及びピニオンギア13の回転軸を中心に揺動するようになっている。これにより、スイングアーム23の揺動位置によらず、減速ギア68M とピニオンギア13とが常に噛み合うようになっている。
スイングアーム23の他端は、スロットマシン１の前扉３側に取り付けられたソレノイド操作機24のプランジャー24A の先端に係合している。
ここで、ソレノイド操作機24は、電力が供給されると、プランジャー24A を前進させる一方、電力の供給がなくなると、プランジャー24A を後退させるように構成されたものである。
【００７０】
電力の供給を受けてソレノイド操作機24がプランジャー24A を前進させると、スイングアーム23の一端側がピニオンギア68B にから離れる方向に揺動し、減速ギア68M とピニオンギア68B との噛み合いを解除するようになっている。
そして、電力の供給がなくなると、ソレノイド操作機24のプランジャー24A が後退し、スイングアーム23の一端側がピニオンギア68B に向かって揺動し、減速ギア68M とピニオンギア68B との噛み合いを成立させるようになっている。
換言すると、ソレノイド操作機24に電力を供給すると、減速ギア68M とピニオンギア68B との噛み合いが解除され、ピニオンギア68B の回転駆動力が遮断されて、駆動力取出シャフト11に伝達されず、可動演出体５が停止するようになっている。
【００７１】
ソレノイド操作機24に電力を供給しなければ、減速ギア68M とピニオンギア68B との噛み合いが成立し、ピニオンギア68B の回転駆動力が減速ギア68M に伝達され、さらに、駆動力取出シャフト11に伝達され、可動演出体５が回転するようになっている。
駆動力遮断手段80は、減速ギア68C をピニオンギア68B に近接離隔させて、減速ギア68C の大径歯車71A とピニオンギア68B との噛み合いの成立及び解除を行うものとなっている。なお、ピニオンギア68B の近接離隔により、反射板64が取り付けられている回転基部68D の歯車部68G と、減速ギア68C の小径歯車71B との噛み合いの成立及び解除も行われるようになっている。
【００７２】
具体的には、減速ギア68C は、スロットマシン１の前扉３側に揺動可能に設けられたスイングアーム81の一端に回転自在に取り付けられている。
スイングアーム81の他端は、スロットマシン１の前扉３側に取り付けられたソレノイド操作機82のプランジャー82A の先端に係合している。
ここで、ソレノイド操作機82は、電力が供給されると、プランジャー82A を前進させる一方、電力の供給がなくなると、プランジャー82A を後退させるものである。
電力の供給を受けてソレノイド操作機82がプランジャー24A を前進させると、スイングアーム81の一端側がピニオンギア68B にから離れる方向に揺動し、大径歯車71A とピニオンギア68B との噛み合いを解除するようになっている。
【００７３】
そして、電力の供給がなくなると、ソレノイド操作機82のプランジャー82A が後退し、スイングアーム81の一端側がピニオンギア68B に向かって揺動し、大径歯車71A とピニオンギア68B との噛み合いを成立させるようになっている。
換言すると、ソレノイド操作機82に電力を供給すると、減速ギア68C の大径歯車71A とピニオンギア68B との噛み合いが解除され、ピニオンギア68B の回転駆動力が遮断されて、回転基部68D に伝達されず、反射板64が停止するようになっている。
ソレノイド操作機82に電力を供給しなければ、減速ギア68C の大径歯車71A とピニオンギア68B との噛み合いが成立し、ピニオンギア68B の回転駆動力が減速ギア68C に伝達され、さらに、回転基部68D に伝達され、反射板64が回転するようになっている。
【００７４】
以上のような第４実施形態によっても、伝達遮断手段20A 及び駆動力遮断手段70がそれぞれ個別に回転駆動力を遮断でき、これにより、回転灯装置60及び可動演出体５を段階的に作動させることが可能となるので、前記第１〜第３実施形態と同様の作用・効果を達成することができる
なお、本発明は、前記実施形態に限定されるものではなく、本発明の目的を達成できる範囲における変形及び改良などをも含むものである。
例えば、駆動力伝達手段としては、棒状に細長く延びる駆動水平シャフト15で、離隔配置された可動演出体５に回転駆動力を伝達する駆動力伝達手段10に限らず、タイミングベルト又はチェーンで回転駆動力を伝達する駆動力伝達手段でもよい。
【００７５】
また、回転灯装置の光源としては、白熱電球65に限らず、水銀灯等のディスチャージランプ、あるいは、発光ダイオードや有機ＥＬ素子等の固体発光素子でもよい。
さらに、遊技機としては、スロットマシンに限らず、パチンコ機等でもよく、本発明は、回転灯装置を備えた遊技機全般に適用することができる。
【図面の簡単な説明】
【００７６】
【図１】本発明の第１実施形態に係る遊技機であるスロットマシンを示す正面図である。
【図２】前記第１実施形態に係る回転灯装置を示す斜視図である。
【図３】前記第１実施形態に係る回転灯装置を示す断面図である。
【図４】前記第１実施形態に係る回転灯装置を示す分解斜視図である。
【図５】前記第１実施形態の要部を示す斜視図である。
【図６】前記第１実施形態に係る伝達遮断手段を示す断面図である。
【図７】本発明の第２実施形態に係る伝達遮断手段を示す断面図である。
【図８】本発明の第３実施形態の要部を示す斜視図である。
【図９】前記第３実施形態に係る駆動力遮断手段を示す断面図である。
【図１０】本発明の第４実施形態に係る駆動力遮断手段を示す平面図である。
【符号の説明】
【００７７】
１          遊技機としてのスロットマシン
５          可動演出体
10          駆動力伝達手段
20,20A      伝達遮断手段
60          回転灯装置
65          光源としての白熱電球
64          反射板
68A         モータ
70, 80      駆動力遮断手段
【図１】
2008036203.tif 000003
【図２】
2008036203.tif 000004
【図３】
2008036203.tif 000005
【図４】
2008036203.tif 000006
【図５】
2008036203.tif 000007
【図６】
2008036203.tif 000008
【図７】
2008036203.tif 000009
【図８】
2008036203.tif 000010
【図９】
2008036203.tif 000011
【図１０】
2008036203.tif 000012